(57)【要約】【課題】コストを低減しつつ、映像による留守番電話サービスを提供すること。【解決手段】本発明の実施の形態に係る留守番電話システムは、第１の携帯端末からの発呼に対して第２の携帯端末が応答できないことを検出し、第１のＵＲＬが記載されたショートメッセージを第１の携帯端末に送信し、ショートメッセージに記載された第１のＵＲＬによる第１の携帯端末からのアクセスにおいて送信された映像メッセージを受信して映像メッセージ記憶部に記憶し、第２のＵＲＬが記載されたショートメッセージを第２の携帯端末に送信し、ショートメッセージに記載された第２のＵＲＬによる第２の携帯端末からのアクセスにおける映像メッセージの要求に応じて、映像メッセージ記憶部に記憶された映像メッセージを第２の携帯端末に送信する。【選択図】図７
2015226079.tif 000002
【特許請求の範囲】
【請求項１】
第１の携帯端末と、第２の携帯端末と、前記第１の携帯端末と前記第２の携帯端末との間の通話を制御する第１のシステムと、前記第１の携帯端末と前記第２の携帯端末との間において映像メッセージによる留守番電話サービスを提供する第２のシステムと、を備え、
前記第１のシステムは、
ＳＭＳ（Short Message Service）を提供するＳＭＳ提供部を有し、
前記第２のシステムは、
前記映像メッセージを記憶する映像メッセージ記憶部と、
ショートメッセージの送信を前記第１のシステムのＳＭＳ提供部に要求するショートメッセージ制御部と、
前記第１の携帯端末及び前記第２の携帯端末からの前記第２のシステムのＵＲＬへのアクセスに応じてＷｅｂサービスを提供するＷｅｂサービス提供部と、を有し、
前記第２のシステムのショートメッセージ制御部は、前記第１のシステムにおいて前記第１の携帯端末からの発呼に対して前記第２の携帯端末が応答できないことが検出された場合、前記第２のシステムの第１のＵＲＬが記載されたショートメッセージの前記第１の携帯端末への送信を前記ＳＭＳ提供部に要求し、
前記第１の携帯端末は、前記第１のシステムのＳＭＳ提供部からのショートメッセージに記載された第１のＵＲＬによる前記第２のシステムへのアクセスにおいて、前記第１の携帯端末で生成した映像メッセージを前記第２のシステムに送信し、
前記第２のシステムのＷｅｂサービス提供部は、前記第１の携帯端末から送信された映像メッセージを受信して前記映像メッセージ記憶部に記憶し、
前記第２のシステムのショートメッセージ制御部は、前記第２のシステムの第２のＵＲＬが記載されたショートメッセージの前記第２の携帯端末への送信を前記ＳＭＳ提供部に要求し、
前記第２の携帯端末は、前記第１のシステムのＳＭＳ提供部からのショートメッセージに記載された第２のＵＲＬによる前記第２のシステムへのアクセスにおいて、前記映像メッセージの送信を前記第２のシステムに要求し、
前記第２のシステムのＷｅｂサービス提供部は、前記第２の携帯端末からの要求に応じて、前記映像メッセージ記憶部に記憶された映像メッセージを前記第２の携帯端末に送信し、
前記第２の携帯端末は、前記第２のシステムから送信された映像メッセージを受信し、再生する、
留守番電話システム。
【請求項２】
前記第１のシステムは、さらに、
音声メッセージを記憶する音声メッセージ記憶部と、
前記音声メッセージによる留守番電話サービスを提供する音声メッセージ制御部を備え、
前記ＳＭＳ提供部は、前記第１のシステムにおいて前記第１の携帯端末からの発呼に対して前記第２の携帯端末が応答できないことが検出された場合、前記音声メッセージと前記映像メッセージのいずれを残すかを問い合わせるショートメッセージを前記第１の携帯端末に送信し、
前記ＳＭＳ提供部は、前記第１のシステムのＳＭＳ提供部からのショートメッセージに応じて、前記第１の携帯端末から前記音声メッセージを残すことを通知するショートメッセージが送信された場合、前記音声メッセージ制御部を動作させるように制御し、前記第１の携帯端末から前記映像メッセージを残すことを通知するショートメッセージが送信された場合、前記第２のシステムのショートメッセージ制御部を動作させるように制御し、
前記音声メッセージ制御部は、前記ＳＭＳ提供部からの制御に応じて、前記第１の携帯端末から送信される音声情報を前記音声メッセージとして前記音声メッセージ記憶部に記憶し、
前記ショートメッセージ制御部は、前記ＳＭＳ提供部からの制御に応じて、前記第２のシステムの第１のＵＲＬが記載されたショートメッセージの前記第１の携帯端末への送信を前記ＳＭＳ提供部に要求する、
請求項１に記載の留守番電話システム。
【請求項３】
前記第２のシステムは、さらに、前記第２のシステムと前記第２の携帯端末との間の回線帯域に応じて、前記映像メッセージを送信するビットレートを変更する帯域制御部を備えた、
請求項１又は２に記載の留守番電話システム。
【請求項４】
前記Ｗｅｂサービス提供部は、前記映像メッセージをストリーミングによって前記第２の携帯端末に送信し、
前記第２の携帯端末は、前記映像メッセージの再生後に、前記映像メッセージの削除又は保存を前記第２のシステムに要求し、
前記第２のシステムのＷｅｂサービス提供部は、前記映像メッセージの削除が要求された場合には、前記映像メッセージを前記第２の携帯端末に送信せずに前記映像メッセージ記憶部から削除し、前記映像メッセージの保存が要求された場合には、前記映像メッセージを前記第２の携帯端末に送信してから前記映像メッセージ記憶部から削除し、
前記第２の携帯端末は、前記映像メッセージの保存の要求に応じて送信された記映像メッセージを前記第２の携帯端末に記憶する、
請求項１乃至３のいずれか１項に記載の留守番電話システム。
【請求項５】
前記第２の携帯端末は、前記映像メッセージの再生後に、前記映像メッセージの削除又は保存を前記第２のシステムに要求し、
前記第２のシステムのＷｅｂサービス提供部は、前記映像メッセージの削除が要求された場合には、前記映像メッセージを前記映像メッセージ記憶部から削除し、前記映像メッセージの保存が要求された場合には、前記映像メッセージの前記映像メッセージ記憶部への記憶を継続する、
請求項１乃至３のいずれか１項に記載の留守番電話システム。
【請求項６】
前記第１の携帯端末及び前記第２の携帯端末は、スマートフォンである、
請求項１乃至５のいずれか１項に記載の留守番電話システム。
【請求項７】
第１の携帯端末と、前記第１の携帯端末との間で通話制御及びＳＭＳ（Short Message Service）の提供が通信制御システムによって行われる第２の携帯端末と、の間において映像メッセージによる留守番電話サービスを提供する留守番電話映像管理システムであって、
前記映像メッセージを記憶する映像メッセージ記憶部と、
ショートメッセージの送信を前記通信制御システムに要求するショートメッセージ制御部と、
前記第１の携帯端末及び前記第２の携帯端末からの前記留守番電話映像管理システムのＵＲＬへのアクセスに応じたＷｅｂサービスを提供するＷｅｂサービス提供部と、を備え、
前記ショートメッセージ制御部は、前記通信制御システムにおいて前記第１の携帯端末からの発呼に対して前記第２の携帯端末が応答できないことが検出された場合、前記留守番電話映像管理システムの第１のＵＲＬが記載されたショートメッセージの前記第１の携帯端末への送信を前記通信制御システムに要求し、
前記Ｗｅｂサービス提供部は、前記通信制御システムからのショートメッセージに記載された第１のＵＲＬによる前記第１の携帯端末からのアクセスにおいて送信された映像メッセージを受信して前記映像メッセージ記憶部に記憶し、
前記ショートメッセージ制御部は、前記留守番電話映像管理システムの第２のＵＲＬが記載されたショートメッセージの前記第２の携帯端末への送信を前記通信制御システムに要求し、
前記Ｗｅｂサービス提供部は、前記通信制御システムからのショートメッセージに記載された第２のＵＲＬによる前記第２の携帯端末からのアクセスにおける映像メッセージの送信の要求に応じて、前記映像メッセージ記憶部に記憶された映像メッセージを前記第２の携帯端末に送信する、
留守番電話映像管理システム。
【請求項８】
第１の携帯端末と、前記第１の携帯端末との通話が行われる第２の携帯端末と、の間において映像メッセージによる留守番電話サービスを提供する留守番電話サービス提供方法であって、
前記第１の携帯端末からの発呼に対して前記第２の携帯端末が応答できないことを検出するステップと、
ＳＭＳ（Short Message Service）により、第１のＵＲＬが記載されたショートメッセージを前記第１の携帯端末に送信するステップと、
前記ショートメッセージに記載された第１のＵＲＬによる前記第１の携帯端末からのアクセスにおいて送信された映像メッセージを受信して映像メッセージ記憶部に記憶するステップと、
前記ＳＭＳにより、第２のＵＲＬが記載されたショートメッセージを前記第２の携帯端末に送信するステップと、
前記ショートメッセージに記載された第２のＵＲＬによる前記第２の携帯端末からのアクセスにおける映像メッセージの要求に応じて、前記映像メッセージ記憶部に記憶された映像メッセージを前記第２の携帯端末に送信するステップと、
を備えた留守番電話サービス提供方法。
【発明の詳細な説明】
【技術分野】
【０００１】
本発明は、留守番電話システム、留守番電話映像管理システム、及び留守番電話サービス提供方法に関し、特に映像メッセージによる留守番電話サービスを提供する技術に関する。
【背景技術】
【０００２】
留守番電話サービスは、基本的には、音声メッセージのみの記録・再生が実施されている。なお、一部のフューチャーフォンでは、テレビ電話機能を利用した映像による留守番電話サービスを提供したものもあったが、異なるキャリア間では使用できないという問題があった。また、フューチャーフォンで提供されていた映像による留守番電話サービスは、回線の仕様のため、ＱＣＩＦ（Quarter Common Intermediate Format：１７６×１４４画素、６４ｋｂｐｓ）の映像メッセージしか保存できず、お世辞にもきれいな映像とは言えないものであった。
【０００３】
一方で、昨今では、スマートフォンが多く利用されるようになってきている。スマートフォンは、フューチャーフォンと同じようにカメラや液晶を搭載していて、その性能はフューチャーフォンをはるかに上回っている。スマートフォンは、例えばＨＤ画質の動画撮影・再生に十分なスペックを有しているため、スマートフォンで映像による留守番電話サービスを実現することができれば、きれいな映像でメッセージを残すことが可能である。
【０００４】
ここで、特許文献１には、音声映像通話の映像部分へのアクセスを提供するための技術が開示されている。この技術は、モバイル装置から音声端末への発呼に、音声端末のユーザが出ることができない場合、音声映像通話の音声部分をボイスメールメッセージとしてボイスメールに記録する。また、この技術は、音声映像通話の映像部分をＳＩＰ（Sessin Initiation Protocol）によってサービスノードに送信し、サービスノードに記録する。音声端末のユーザは、音声端末からボイスメールに記録された音声映像通話の音声部分にアクセスする。また、音声端末のユーザは、コンピューティング装置からサービスノードに記録された音声映像通話の映像部分にアクセスする。
【０００５】
しかしながら、特許文献１に開示の技術を実現するためには、一般的な音声メッセージのみの記録・再生を実施する留守番電話サービスに対して、音声映像通話の映像部分を記録するためのＳＩＰによる処理を大幅に作りこむ必要があり、その実現に非常にコストが高くなってしまうという問題がある。
【０００６】
特許文献２には、録画開始時の基本画像データと録画開始時以降の映像データとを確実に格納及び提供可能とするための映像留守番電話センタが開示されている。この映像留守番電話センタは、録画端末から受信した映像データを事前に保持しておき、メッセージの録画開始を契機として、既に保持されている映像データから基本画像データを生成する。さらに、映像留守番電話センタは、その基本画像データと、録画開始時以降に受信された差分画像データとから、録画開始以降の映像データである映像メッセージを作成する。そして、映像留守番電話センタは、再生端末からの要求に応じて、映像メッセージの送信を行う。
【０００７】
しかしながら、特許文献２に開示の技術を実現するためには、一般的な音声メッセージのみの記録・再生を実施する留守番電話センタに対して、音声メッセージに代えて映像メッセージを記録・再生するように全体的に変更するか、全ての機能を新たに作成する必要があるため、その実現に非常にコストが高くなってしまうという問題がある。
【先行技術文献】
【特許文献】
【０００８】
【特許文献１】特表２０１３−５３９６２５号公報
【特許文献２】特開２００６−２５４３３９号公報
【発明の概要】
【発明が解決しようとする課題】
【０００９】
上述したように、映像による留守番電話サービスを実現するためには、非常にコストが高くなってしまっているという問題がある。
【００１０】
本発明の目的は、上述したような課題を解決するために、コストを低減しつつ、映像による留守番電話サービスを提供することができる留守番電話システム、留守番電話映像管理システム、及び留守番電話サービス提供方法を提供することである。
【課題を解決するための手段】
【００１１】
本発明の第１の態様に係る留守番電話システムは、第１の携帯端末と、第２の携帯端末と、前記第１の携帯端末と前記第２の携帯端末との間の通話を制御する第１のシステムと、前記第１の携帯端末と前記第２の携帯端末との間において映像メッセージによる留守番電話サービスを提供する第２のシステムと、を備え、前記第１のシステムは、ＳＭＳ（Short Message Service）を提供するＳＭＳ提供部を有し、前記第２のシステムは、前記映像メッセージを記憶する映像メッセージ記憶部と、ショートメッセージの送信を前記第１のシステムのＳＭＳ提供部に要求するショートメッセージ制御部と、前記第１の携帯端末及び前記第２の携帯端末からの前記第２のシステムのＵＲＬへのアクセスに応じてＷｅｂサービスを提供するＷｅｂサービス提供部と、を有し、前記第２のシステムのショートメッセージ制御部は、前記第１のシステムにおいて前記第１の携帯端末からの発呼に対して前記第２の携帯端末が応答できないことが検出された場合、前記第２のシステムの第１のＵＲＬが記載されたショートメッセージの前記第１の携帯端末への送信を前記ＳＭＳ提供部に要求し、前記第１の携帯端末は、前記第１のシステムのＳＭＳ提供部からのショートメッセージに記載された第１のＵＲＬによる前記第２のシステムへのアクセスにおいて、前記第１の携帯端末で生成した映像メッセージを前記第２のシステムに送信し、前記第２のシステムのＷｅｂサービス提供部は、前記第１の携帯端末から送信された映像メッセージを受信して前記映像メッセージ記憶部に記憶し、前記第２のシステムのショートメッセージ制御部は、前記第２のシステムの第２のＵＲＬが記載されたショートメッセージの前記第２の携帯端末への送信を前記ＳＭＳ提供部に要求し、前記第２の携帯端末は、前記第１のシステムのＳＭＳ提供部からのショートメッセージに記載された第２のＵＲＬによる前記第２のシステムへのアクセスにおいて、前記映像メッセージの送信を前記第２のシステムに要求し、前記第２のシステムのＷｅｂサービス提供部は、前記第２の携帯端末からの要求に応じて、前記映像メッセージ記憶部に記憶された映像メッセージを前記第２の携帯端末に送信し、前記第２の携帯端末は、前記第２のシステムから送信された映像メッセージを受信し、再生するものである。
【００１２】
本発明の第２の態様に係る留守番電話映像管理システムは、第１の携帯端末と、前記第１の携帯端末との間で通話制御及びＳＭＳ（Short Message Service）の提供が通信制御システムによって行われる第２の携帯端末と、の間において映像メッセージによる留守番電話サービスを提供する留守番電話映像管理システムであって、前記映像メッセージを記憶する映像メッセージ記憶部と、ショートメッセージの送信を前記通信制御システムに要求するショートメッセージ制御部と、前記第１の携帯端末及び前記第２の携帯端末からの前記留守番電話映像管理システムのＵＲＬへのアクセスに応じたＷｅｂサービスを提供するＷｅｂサービス提供部と、を備え、前記ショートメッセージ制御部は、前記通信制御システムにおいて前記第１の携帯端末からの発呼に対して前記第２の携帯端末が応答できないことが検出された場合、前記留守番電話メッセージ制御システムの第１のＵＲＬが記載されたショートメッセージの前記第１の携帯端末への送信を前記通信制御システムに要求し、前記Ｗｅｂサービス提供部は、前記通信制御システムからのショートメッセージに記載された第１のＵＲＬによる前記第１の携帯端末からのアクセスにおいて送信された映像メッセージを受信して前記映像メッセージ記憶部に記憶し、前記ショートメッセージ制御部は、前記留守番電話メッセージ制御システムの第２のＵＲＬが記載されたショートメッセージの前記第２の携帯端末への送信を前記通信制御システムに要求し、前記Ｗｅｂサービス提供部は、前記通信制御システムからのショートメッセージに記載された第２のＵＲＬによる前記第２の携帯端末からのアクセスにおける映像メッセージの送信の要求に応じて、前記映像メッセージ記憶部に記憶された映像メッセージを前記第２の携帯端末に送信するものである。
【００１３】
本発明の第３の態様に係る留守番電話サービス提供方法は、第１の携帯端末と、前記第１の携帯端末との通話が行われる第２の携帯端末と、の間において映像メッセージによる留守番電話サービスを提供する留守番電話サービス提供方法であって、前記第１の携帯端末からの発呼に対して前記第２の携帯端末が応答できないことを検出するステップと、ＳＭＳ（Short Message Service）により、第１のＵＲＬが記載されたショートメッセージを前記第１の携帯端末に送信するステップと、前記ショートメッセージに記載された第１のＵＲＬによる前記第１の携帯端末からのアクセスにおいて送信された映像メッセージを受信して映像メッセージ記憶部に記憶するステップと、前記ＳＭＳにより、第２のＵＲＬが記載されたショートメッセージを前記第２の携帯端末に送信するステップと、前記ショートメッセージに記載された第２のＵＲＬによる前記第２の携帯端末からのアクセスにおける映像メッセージの要求に応じて、前記映像メッセージ記憶部に記憶された映像メッセージを前記第２の携帯端末に送信するステップと、を備えたものである。
【発明の効果】
【００１４】
上述した本発明の各態様によれば、コストを低減しつつ、映像による留守番電話サービスを提供することができる留守番電話システム、留守番電話映像管理システム、及び留守番電話サービス提供方法を提供することができる。
【図面の簡単な説明】
【００１５】
【図１】実施の形態に係る留守番電話システムの構成図である。
【図２】実施の形態に係る通信制御システムの構成図である。
【図３】実施の形態に係る留守番電話映像管理システムの構成図である。
【図４】実施の形態に係る携帯端末の構成図である。
【図５】実施の形態に係る留守番電話システムの映像メッセージ記録処理を示すシーケンス図である。
【図６】実施の形態に係る留守番電話システムの映像メッセージ再生処理を示すシーケンス図である。
【図７】実施の形態に係る留守番電話システムの一態様を示す構成図である。
【発明を実施するための形態】
【００１６】
以下に図面を参照しながら、本発明の好適な実施形態について説明する。以下の実施形態に示す具体的な数値等は、発明の理解を容易とするための例示にすぎず、特に断る場合を除き、それに限定されるものではない。また、以下の記載及び図面では、説明の明確化のため、当業者にとって自明な事項等については、適宜、省略及び簡略化がなされている。
【００１７】
まず、図１を参照して、本発明の実施の形態に係る留守番電話システム１の構成について説明する。図１に示すように、留守番電話システム１は、通信制御システム１０、留守番電話映像管理システム２０、及び携帯端末３１、３２を有する。
【００１８】
通信制御システム１０は、公衆電話網において構築されるシステムである。留守番電話映像管理システム２０は、インターネット網において構築されるシステムである。なお、公衆電話網は、少なくともその一部がＩＰ（Internet Protocol）網によって構築されていてもよい。公衆電話網における通信制御システム１０と、インターネット網における映像管理システム２０とはゲートウェイを介して相互に通信可能となっている。また、携帯端末３１、３２は、移動体通信網を介して、公衆電話網における通信制御システム１０、及び、インターネット網における映像管理システム２０と相互に通信可能となっている。
【００１９】
通信制御システム１０は、各携帯端末３１、３２の間の通信制御を行う。通信制御システム１０は、各携帯端末３１、３２の間における通話制御、ショートメッセージの伝送制御、及び音声による留守番電話サービスの提供等を実施する。
【００２０】
留守番電話映像管理システム２０は、各携帯端末３１、３２の間における映像による留守番電話サービスを提供する。
【００２１】
携帯端末３１、３２は、相互に、通話、及びショートメッセージの送受信が可能である。携帯端末３１、３２は、例えばフューチャーフォン及びスマートフォン等の携帯電話である。携帯端末３１、３２は、スマートフォンであることが好ましい。なお、図１では、携帯端末を２つだけ図示しているが、携帯端末の数はこの数に限られない。
【００２２】
続いて、図２を参照して、本発明の実施の形態に係る通信制御システム１０の構成について説明する。図２に示すように、通信制御システム１０は、呼制御装置１１と、音声用留守番電話サーバ１２と、ＳＭＳサーバ１３とを有する。
【００２３】
呼制御装置１１は、呼制御部１１１を有する。呼制御装置１１は、例えば、ＣＰＵ（Central Processing Unit）を有し、呼制御部１１１としての処理を実行させるプログラムをＣＰＵが実行することで、呼制御装置１１としての機能を実現する。呼制御装置１１は、例えば交換機である。
【００２４】
呼制御部１１１は、各携帯端末３１、３２の間の呼制御を行う。例えば、呼制御部１１１は、携帯端末３１から送信された携帯端末３２に対する発呼を携帯端末３２に着信させる。そして、携帯端末３２が携帯端末３１からの発呼に応答し、携帯端末３１と携帯端末３２との間の通話が確立した場合には、携帯端末３１と携帯端末３２との間で通話における音声情報を転送する。
【００２５】
音声用留守番電話サーバ１２は、音声メッセージ制御部１２１と、記憶部１２２とを有する。音声用留守番電話サーバ１２は、例えば、ＣＰＵを有し、音声メッセージ制御部１２１としての処理を実行させるプログラムをＣＰＵが実行することで、音声用留守番電話サーバ１２としての機能を実現する。
【００２６】
音声メッセージ制御部１２１は、留守番電話における音声によるメッセージを示す情報である音声メッセージの記録・再生を制御する。例えば、音声メッセージ制御部１２１は、携帯端末３１から携帯端末３２に対する発呼に対して携帯端末３２が応答できないときであって、音声メッセージにより留守番電話メッセージを残す場合、携帯端末３１から送信された音声メッセージを受信して記憶部１２２に格納する。その後、音声メッセージ制御部１２１は、携帯端末３２から音声メッセージの送信を要求された場合、記憶部１２２に格納された音声メッセージを携帯端末３２に送信する。これにより、携帯端末３２は、音声メッセージ制御部１２１から受信した音声メッセージを再生する。
【００２７】
記憶部１２２は、音声メッセージが格納される。記憶部１２２は、音声メッセージを格納可能な１つ以上の任意の記憶装置を含んで構成される。記憶装置は、例えば、メモリ及びハードディスク等である。
【００２８】
ＳＭＳ（Short Message Service）サーバ１３は、ＳＭＳ提供部１３１を有する。ＳＭＳサーバ１３は、例えば、ＣＰＵを有し、ＳＭＳ提供部１３１としての処理を実行させるプログラムをＣＰＵが実行することで、ＳＭＳ提供部１３１としての機能を実現する。
【００２９】
ＳＭＳ提供部１３１は、各携帯端末３１、３２にＳＭＳを提供する。ＳＭＳ提供部１３１は、ＳＭＳとして、各携帯端末３１、３２の間でのショートメッセージの伝送を制御する。例えば、ＳＭＳ提供部１３１は、携帯端末３１から携帯端末３２を宛先とするショートメッセージが通信制御システム１０に送信されてきた場合、そのショートメッセージを携帯端末３２に転送する。また、ＳＭＳ提供部１３１は、留守番電話映像管理システム２０からのショートメッセージの送信要求に応じて、ショートメッセージを携帯端末３１、３２に送信する。
【００３０】
以上に説明した通信制御システム１０では、３つの異なる装置（サーバ）１１、１２、１３に、通信制御システム１０における各部１１１、１２２、１２１、１３１が振り分けられている例について説明したが、通信制御システム１０が有する装置数は、これに限られない。例えば、呼制御装置１１と音声用留守番電話サーバ１２を１つの装置として統合して、１つの装置に呼制御部１１１、音声メッセージ制御部１２１、及び記憶部１２２が含まれるようにされてもよい。
【００３１】
続いて、図３を参照して、本発明の実施の形態に係る留守番電話映像管理システム２０の構成について説明する。図３に示すように、留守番電話映像管理システム２０は、映像用留守番電話サーバ２１を有する。
【００３２】
映像用留守番電話サーバ２１は、Ｗｅｂサービス提供部２１１と、ショートメッセージ制御部２１２と、帯域制御部２１３と、記憶部２１４とを有する。映像用留守番電話サーバ２１は、例えば、ＣＰＵを有し、Ｗｅｂサービス提供部２１１、ショートメッセージ制御部２１２、及び帯域制御部２１３としての処理を実行させるプログラムをＣＰＵが実行することで、Ｗｅｂサービス提供部２１１、ショートメッセージ制御部２１２、及び帯域制御部２１３としての機能を実現する。
【００３３】
Ｗｅｂ（World Wide Web）サービス提供部２１１は、各携帯端末３１、３２に対してＷｅｂサービスを提供する。Ｗｅｂサービス提供部２１１は、Ｗｅｂサービスとして、携帯端末３１、３２からのＨＴＴＰ（HyperText Transfer Protocol）プロトコルに従ったリクエストに応じて、留守番電話における映像によるメッセージを示す情報である映像メッセージの記録・再生を制御する。例えば、Ｗｅｂサービス提供部２１１は、携帯端末３１から携帯端末３２に対する発呼に対して携帯端末３２が応答できないときであって、映像メッセージにより留守番電話メッセージを残す場合に、映像メッセージの記録の要求として携帯端末３１から送信された映像メッセージを受信して記憶部２１４に格納する。その後、Ｗｅｂサービス提供部２１１は、携帯端末３２から映像メッセージの再生が要求された場合、記憶部２１４に格納された映像メッセージを携帯端末３２にストリーミング配信する。これにより、携帯端末３２は、Ｗｅｂサービス提供部２１１からストリーミング配信された映像メッセージを再生する。
【００３４】
ショートメッセージ制御部２１２は、通信制御システム１０のＳＭＳ提供部１３１に対して、各携帯端末３１、３２へのショートメッセージの送信を要求する。
【００３５】
帯域制御部２１３は、携帯端末３１、３２に対する映像メッセージのストリーミング配信時に、映像用留守番電話サーバ２１と携帯端末３１、３２との間の回線帯域の変動に応じて、映像メッセージを送信するビットレートを動的に変更する制御を行う。これにより、携帯端末３１、３２で再生される映像メッセージの乱れを防止する。
【００３６】
記憶部２１４は、映像メッセージが格納される。記憶部２１４は、映像メッセージを格納可能な１つ以上の任意の記憶装置を含んで構成される。記憶装置は、例えば、メモリ及びハードディスク等である。
【００３７】
続いて、図４を参照して、本発明の実施の形態に係る携帯端末３１の構成について説明する。なお、携帯端末３２の構成も、図４に示す携帯端末３１の構成と同様となる。図４に示すように、携帯端末３１は、通話制御部３０１と、ショートメッセージ制御部３０２と、Ｗｅｂクライアント部３０３と、記憶部３０４とを有する。
【００３８】
通話制御部３０１は、他の携帯端末との間での通話制御を行う。例えば、通話制御部３０１は、ユーザから携帯端末３１の入力装置（図示せず）に対する通話を要求する入力に応じて、その入力で指定された携帯端末に対する通話要求を通信制御システム１０の呼制御装置１１に送信する。それによって、通信制御システム１０の呼制御装置１１によって、他の携帯端末との間で通話が確立された場合、通話制御部３０１は、通話が確立された携帯端末との間で、通話における音声を示す音声情報を送受信する。なお、入力装置は、例えば、例えばタッチパネル及びボタン等である。
【００３９】
ショートメッセージ制御部３０２は、他の携帯端末との間でのショートメッセージの送受信を制御する。例えば、ショートメッセージ制御部３０２は、ユーザから携帯端末３１の入力装置に対するショートメッセージを作成する入力に応じて、ショートメッセージを作成する。ショートメッセージ制御部３０２は、ユーザから携帯端末３１の入力装置に対する作成したショートメッセージの送信を要求する入力に応じて、その入力で指定された携帯端末に対する送信として、作成したショートショートメッセージを通信制御システム１０のＳＭＳサーバ１３に送信する。また、ショートメッセージ制御部３０２は、他の携帯端末から通信制御システム１０のＳＭＳサーバ１３を介して送信されてきたショートメッセージを受信する。ショートメッセージ制御部３０２は、ユーザから携帯端末３１の入力装置に対するショートメッセージの表示を要求する入力に応じて、受信したショートメッセージを携帯端末３１の表示装置（図示せず）に表示する。なお、表示装置は、例えば、液晶パネル、有機ＥＬパネル、又はプラチナディスプレイパネル等である。表示装置は、タッチパネルとして入力装置を兼ねていてもよい。
【００４０】
Ｗｅｂクライアント部３０３は、留守番電話映像管理システム２０が提供するＷｅｂサービスを利用する。Ｗｅｂクライアント部３０３は、ＨＴＴＰプロトコルに従ったリクエストとして、留守番電話映像管理システム２０の映像用留守番電話サーバ２１に映像メッセージの記録・再生を要求する。例えば、Ｗｅｂクライアント部３０３は、映像メッセージにより留守番電話メッセージを残す場合に、映像メッセージの記録の要求として、映像メッセージを留守番電話映像管理システム２０の映像用留守番電話サーバ２１に送信する。また、Ｗｅｂクライアント部３０３は、留守番電話映像管理システム２０の映像用留守番電話サーバ２１に記録された映像メッセージの再生の要求を留守番電話映像管理システム２０の映像用留守番電話サーバ２１に送信する。これにより、Ｗｅｂクライアント部３０３は、この要求に応じて留守番電話映像管理システム２０の映像用留守番電話サーバ２１からストリーミング配信される映像メッセージを再生する。
【００４１】
記憶部３０４は、ショートメッセージ及び映像メッセージ等が格納される。記憶部３０４は、ショートメッセージ及び映像メッセージ等を格納可能な１つ以上の任意の記憶装置を含んで構成される。記憶装置は、例えば、メモリ及びハードディスク等である。
【００４２】
以上に説明した留守番電話映像管理システム２０では、１つの装置（サーバ）２１に、留守番電話映像管理システム２０における各部２１１〜２１４が含まれている例について説明したが、留守番電話映像管理システム２０が有する装置数は、これに限られない。例えば、２つの異なる装置を有するようにし、ショートメッセージ制御部２１２と、Ｗｅｂサービス提供部２１１、帯域制御部２１３、及び記憶部２１４とが、それら２つの装置のそれぞれに含まれるようにしてもよい。
【００４３】
続いて、図５を参照して、本発明の実施の形態に係る留守番電話システムの映像メッセージ記録処理について説明する。以下の説明では、携帯端末３１から携帯端末３２に電話をかける場合について説明するが、携帯端末３２から携帯端末３１に電話をかける場合も同様に処理することが可能である。
【００４４】
携帯端末３１の通話制御部３０１は、ユーザから携帯端末３１の入力装置に対する通話を要求する入力に応じて、その入力で指定された携帯端末３２に対する発呼を通信制御システム１０の呼制御装置１１に送信する（Ｓ１）。
【００４５】
呼制御装置１１の呼制御部１１１は、携帯端末３１から送信された発呼に対して携帯端末３２が応答できるか否かを判定する。呼制御部１１１は、携帯端末３２が応答できると判定した場合、携帯端末３１と携帯端末３２との間の通話を確立し、携帯端末３１と携帯端末３２との間で通話における音声情報を転送する。
【００４６】
一方、呼制御部１１１は、携帯端末３２が応答できないと判定した場合（Ｓ２）、通話が確立できないことを通知する通知情報をＳＭＳサーバ１３に送信する。ここで、携帯端末３２が応答できない場合とは、例えば、所定の時間の間、携帯端末３２が携帯端末３１からの発呼に応答しない場合、携帯端末３２が圏外である場合、及び携帯端末３２が他の携帯端末と通話中である場合等である。
【００４７】
ＳＭＳサーバ１３のＳＭＳ提供部１３１は、呼制御部１１１からの通知情報の受信に応じて、制御型のショートメッセージを送信する（Ｓ３）。ここで、ＳＭＳにおけるショートメッセージには、携帯端末３１、３２を制御するための制御型のショートメッセージと、各携帯端末３１、３２のユーザがテキストを送り合うためのテキスト型のショートメッセージがある。本実施の形態では、単に「ショートメッセージ」と言った場合には、テキスト型のショートメッセージを意味する。
【００４８】
携帯端末３１のショートメッセージ制御部３０２は、通信制御システム１０のＳＭＳサーバ１３からの制御型のショートメッセージの受信に応じて、音声と映像のどちらでメッセージを残すかをユーザに問い合わせる表示を携帯端末３１の表示装置に表示する（Ｓ４）。
【００４９】
ショートメッセージ制御部３０２は、ユーザから携帯端末３１の入力装置に対して音声を選択する入力がされた場合、音声でメッセージを残すことを通知する制御型のショートメッセージを通信制御システム１０のＳＭＳサーバ１３に送信する。ＳＭＳサーバ１３のＳＭＳ提供部１３１は、携帯端末３１からの制御型のショートメッセージの受信に応じて、音声でメッセージを残すことを通知する通知情報を呼制御装置１１に送信する。呼制御装置１１の呼制御部１１１は、ＳＭＳ提供部１３１からの通知情報の受信に応じて、携帯端末３１からの接続先を音声用留守番電話サーバ１２に切り替える。音声用留守番電話サーバ１２の音声メッセージ制御部１２１は、携帯端末３１から送信される音声情報を音声メッセージとして記憶部１２２に格納する。
【００５０】
一方、ショートメッセージ制御部３０２は、ユーザから携帯端末３１の入力装置に対する映像を選択する入力がされた場合、映像でメッセージを残すことを通知する制御型のショートメッセージを通信制御システム１０のＳＭＳサーバ１３に送信する（Ｓ５）。
【００５１】
ＳＭＳサーバ１３のＳＭＳ提供部１３１は、携帯端末３１からの制御型のショートメッセージの受信に応じて、映像メッセージの記録を要求する要求情報を留守番電話映像管理システム２０の映像用留守番電話サーバ２１に送信する（Ｓ６）。
【００５２】
映像用留守番電話サーバ２１のショートメッセージ制御部２１２は、通信制御システム１０のＳＭＳサーバ１３からの要求情報の受信に応じて、留守番電話映像管理システム２０（映像用留守番電話サーバ２１）の映像メッセージ記録用のＵＲＬを記載したショートメッセージの携帯端末３１への送信を要求する要求情報を通信制御システム１０のＳＭＳサーバ１３に送信する（Ｓ７）。
【００５３】
ＳＭＳサーバ１３のＳＭＳ提供部１３１は、留守番電話映像管理システム２０の映像用留守番電話サーバ２１からの要求情報の受信に応じて、映像メッセージ記録用のＵＲＬを記載したショートメッセージを携帯端末３１に送信する（Ｓ８）。
【００５４】
携帯端末３１のショートメッセージ制御部３０２は、通信制御システム１０のＳＭＳサーバ１３からのショートメッセージを受信し、記憶部３０４に格納する。ショートメッセージ制御部３０２は、ユーザから携帯端末３１の入力装置に対するショートメッセージの表示を要求する入力に応じて、記憶部３０４に格納されたショートメッセージを表示装置に表示する。Ｗｅｂクライアント部３０３は、ユーザから携帯端末３１の入力装置に対する、表示されたショートメッセージにおける映像メッセージ記録用のＵＲＬをクリック（選択）する入力に応じて、そのＵＲＬにアクセスする（Ｓ９）。
【００５５】
このときの動作として、携帯端末３１のＣＰＵは、ＵＲＬのクリックに応じて、映像メッセージを記録・再生するための専用のアプリケーションプログラム（以下、「専用アプリ」とも言う）を起動する。すなわち、上述の携帯端末３１におけるプログラムには、この専用アプリが含まれる。このＵＲＬのクリックに応じた専用アプリの起動は、例えばＵＲＬスキームによって実施する。Ｗｅｂクライアント部３０３は、専用アプリを実行することによる動作として、上記ＵＲＬの画面を要求する要求情報をＨＴＴＰプロトコルにより留守番電話映像管理システム２０の映像用留守番電話サーバ２１に送信する。映像用留守番電話サーバ２１のＷｅｂサービス提供部２１１は、携帯端末３１からの要求情報の受信に応じて、上記ＵＲＬの画面となる映像メッセージ記録画面を示す画面情報を携帯端末３１に送信する。携帯端末３１のＷｅｂクライアント部３０３は、留守番電話映像管理システム２０の映像用留守番電話サーバ２１からの画面情報を受信し、受信した画面情報が示す映像メッセージ記録画面を表示装置に表示する（Ｓ１０）。よって、専用アプリは、ブラウザの機能を有するプログラムである。
【００５６】
Ｗｅｂクライアント部３０３は、専用アプリを実行することによる動作として、携帯端末３１のカメラ（図示せず）からユーザの映像を録画するとともに、携帯端末３１のマイクロフォン（図示せず）からその録画時におけるユーザの音声を録音し、その録画・録音した映像及び音声を示す映像メッセージを生成する（Ｓ１１）。
【００５７】
なお、この映像メッセージの生成は、ＵＲＬのクリックに応じて、自動で行われるようにしてもよく、手動で行われるようにしてもよい。例えば、手動で行う場合には、Ｗｅｂクライアント部３０３は、ユーザから携帯端末３１の入力装置に対する、映像メッセージ録画画面における録画・録音を指示するオブジェクト（例えばボタン等）を選択する入力に応じて、録画・録音を行うようにしてもよい。
【００５８】
Ｗｅｂクライアント部３０３は、専用アプリを実行することによる動作として、生成した映像メッセージをＨＴＴＰプロトコルにより留守番電話映像管理システム２０の映像用留守番電話サーバ２１にアップロードする（Ｓ１２）。このアップロードは、例えば、ＰＯＳＴメソッドにより行われる。
【００５９】
なお、この映像メッセージのアップロードも、自動で行われるようにしてもよく、手動で行われるようにしてもよい。例えば、手動で行う場合には、Ｗｅｂクライアント部３０３は、生成した映像メッセージをプレビュー再生し、そのプレビューを参照したユーザからの携帯端末３１の入力装置に対するアップロードを許可する入力に応じて、映像メッセージをアップロードするようにしてもよい。また、複数回、録画・録音を行うことで生成された複数の映像メッセージのうち、いずれかを選択する入力に応じて、選択された映像メッセージをアップロードするようにしてもよい。
【００６０】
映像用留守番電話サーバ２１のＷｅｂサービス提供部２１１は、携帯端末３１からアップロードされた映像メッセージを記憶部２１４に格納する（Ｓ１３）。Ｗｅｂサービス提供部２１１は、記憶部２１４への映像メッセージの格納完了後、映像メッセージの記録が完了したことを通知する通知情報を携帯端末３１に送信する（Ｓ１４）。
【００６１】
続いて、図６を参照して、本発明の実施の形態に係る留守番電話システムの映像メッセージ再生処理について説明する。以下の説明では、図５に説明した映像メッセージ記録処理の続きとして説明する。
【００６２】
映像用留守番電話サーバ２１のショートメッセージ制御部２１２は、映像メッセージの記録後、留守番電話映像管理システム２０（映像用留守番電話サーバ２１）の映像メッセージ再生用のＵＲＬを記載したショートメッセージの携帯端末３２への送信を要求する要求情報を通信制御システム１０のＳＭＳサーバ１３に送信する（Ｓ２０）。
【００６３】
ＳＭＳサーバ１３のＳＭＳ提供部１３１は、留守番電話映像管理システム２０の映像用留守番電話サーバ２１からの要求情報の受信に応じて、映像メッセージ再生用のＵＲＬを記載したショートメッセージを携帯端末３２に送信する（Ｓ２１）。このショートメッセージには、さらに、携帯端末３１からの携帯端末３２に対する映像メッセージがアップロードされた旨のテキストが記載されていてもよい。
【００６４】
携帯端末３２のショートメッセージ制御部３０２は、通信制御システム１０から送信されたショートメッセージを受信し、記憶部３０４に格納する。ショートメッセージ制御部３０２は、ユーザから携帯端末３２の入力装置に対するショートメッセージの表示を要求する入力に応じて、記憶部３０４に格納されたショートメッセージを表示する。Ｗｅｂクライアント部３０３は、ユーザから携帯端末３１の入力装置に対する、表示されたショートメッセージにおける映像メッセージ再生用のＵＲＬをクリック（選択）する入力に応じて、そのＵＲＬにアクセスする（Ｓ２２）。
【００６５】
このときの動作として、携帯端末３２のＣＰＵは、ＵＲＬのクリックに応じて、上述の専用アプリを起動する。このＵＲＬのクリックに応じた専用アプリの起動も、例えばＵＲＬスキームによって実施する。Ｗｅｂクライアント部３０３は、専用アプリを実行することによる動作として、上記ＵＲＬの画面を要求する要求情報をＨＴＴＰプロトコルにより留守番電話映像管理システム２０の映像用留守番電話サーバ２１に送信する。映像用留守番電話サーバ２１のＷｅｂサービス提供部２１１は、携帯端末３１からの要求情報の受信に応じて、上記ＵＲＬの画面となる映像メッセージ再生画面を示す画面情報を携帯端末３１に送信する。携帯端末３１のＷｅｂクライアント部３０３は、留守番電話映像管理システム２０の映像用留守番電話サーバ２１からの画面情報を受信し、受信した画面情報が示す映像メッセージ再生画面を表示装置に表示する（Ｓ２３）。
【００６６】
Ｗｅｂクライアント部３０３は、専用アプリを実行することによる動作として、ユーザから携帯端末３１の入力装置に対する映像メッセージの再生を要求する入力に応じて、映像メッセージの再生を要求する要求情報をＨＴＴＰプロトコルにより留守番電話映像管理システム２０の映像用留守番電話サーバ２１に送信する（Ｓ２４）。映像メッセージの再生を要求する入力とは、例えば、映像メッセージ再生画面における再生を指示するオブジェクト（例えばボタン等）を選択する入力となる。
【００６７】
なお、このときに、映像メッセージ再生画面は、携帯端末３２に対する全ての映像メッセージの一覧を表示する画面としてもよい。Ｗｅｂクライアント部３０３は、ユーザから携帯端末３１の入力装置に対する映像メッセージの再生を要求する入力として、その一覧の中から再生を要求する映像メッセージを選択する入力を受けるようにしてもよい。そして、Ｗｅｂクライアント部３０３は、その入力で選択された映像メッセージの再生を要求するようにしてもよい。
【００６８】
映像用留守番電話サーバ２１のＷｅｂサービス提供部２１１は、携帯端末３２からの要求情報の受信に応じて、要求された映像メッセージを記憶部２１４から取得して携帯端末３２にストリーミングによって送信する（Ｓ２５）。携帯端末３２のＷｅｂクライアント部３０３は、専用アプリを実行することによる動作として、留守番電話映像管理システム２０の映像用留守番電話サーバ２１から送信される映像メッセージを表示装置に表示する（Ｓ２６）。
【００６９】
このとき、映像用留守番電話サーバ２１の帯域制御部２１３は、留守番電話映像管理システム２０（映像用留守番電話サーバ２１）と携帯端末３２との間の回線帯域の変動に応じて、映像メッセージを配信するビットレートを動的に変更する。帯域制御部２１３は、回線帯域が狭くなるに従って、映像メッセージを配信するビットレートが低くなるように制御する。例えば、携帯端末３２は、映像用留守番電話サーバ２１から映像メッセージののストリーミング配信を受けている場合、所定の単位時間あたりに映像メッセージを受信するバイト数を観測する。携帯端末３２は、観測した単位時間あたりのバイト数を示す情報を映像用留守番電話サーバ２１に送信する。映像用留守番電話サーバ２１の帯域制御部２１３は、携帯端末３２から受信した情報が示す単位時間あたりのバイト数を回線帯域として取得し、取得した回線帯域に応じたビットレートに、映像メッセージを配信するビットレートを変更する。
【００７０】
映像用留守番電話サーバ２１のＷｅｂサービス提供部２１１は、映像メッセージの全ての送信が完了したときに、映像メッセージを保存するか否かを問い合わせるメッセージを示す情報をＨＴＴＰプロトコルにより携帯端末３２に送信する（Ｓ２７）。携帯端末３２のＷｅｂクライアント部３０３は、専用アプリを実行することによる動作として、留守番電話映像管理システム２０の映像用留守番電話サーバ２１から送信された情報に基づいて、映像メッセージを保存するか否かを問い合わせるメッセージを映像メッセージ再生画面に表示する（Ｓ２８）。なお、映像メッセージの保存を選択する場合には、さらに、携帯端末３２内に保存するのか、留守番電話映像管理システム２０（映像用留守番電話サーバ２１）内に保存するのかを選択できるものとする。
【００７１】
携帯端末３２のＷｅｂクライアント部３０３は、専用アプリを実行することによる動作として、ユーザから携帯端末３２の入力装置に対する映像メッセージを保存しないことを選択する入力に応じて（Ｓ２９）、再生された映像メッセージを保存しないことを通知する通知情報をＨＴＴＰプロトコルにより留守番電話映像管理システム２０の映像用留守番電話サーバ２１に送信する（Ｓ３０）。
【００７２】
映像用留守番電話サーバ２１のＷｅｂサービス提供部２１１は、携帯端末３２からの通知情報の受信に応じて、再生された映像メッセージを記憶部２１４から削除する（Ｓ３１）。すなわち、この場合には、Ｗｅｂサービス提供部２１１は、後述のＳ３６のように携帯端末３２における保存のために映像メッセージを携帯端末３２へは送信せずに記憶部２１４から削除する。
【００７３】
Ｗｅｂサービス提供部２１１は、映像メッセージの削除完了後に、映像メッセージの削除が完了したことを通知するショートメッセージの送信を要求する要求情報を通信制御システム１０のＳＭＳサーバ１３に送信する（Ｓ３２）。ＳＭＳサーバ１３のＳＭＳ提供部１３１は、留守番電話映像管理システム２０の映像用留守番電話サーバ２１からの通知情報の受信に応じて、映像メッセージを削除したことを通知するショートメッセージを携帯端末３２に送信する（Ｓ３３）。
【００７４】
一方、携帯端末３２のＷｅｂクライアント部３０３は、専用アプリを実行することによる動作として、ユーザから携帯端末３２の入力装置に対する、映像メッセージを携帯端末３２に保存することを選択する入力に応じて（Ｓ３４）、再生された映像メッセージの送信を要求する要求情報をＨＴＴＰプロトコルにより留守番電話映像管理システム２０の映像用留守番電話サーバ２１に送信する（Ｓ３２）。より具体的には、この要求情報は、映像メッセージの送信を映像用留守番電話サーバ２１に要求するＧＥＴメソッドとなる。
【００７５】
映像用留守番電話サーバ２１のＷｅｂサービス提供部２１１は、携帯端末３２からの要求情報の受信に応じて、要求された映像メッセージを記憶部２１４から取得して携帯端末３２に送信する（Ｓ３６）。携帯端末３２のＷｅｂクライアント部３０３は、留守番電話映像管理システム２０から送信された映像メッセージを記憶部３０４に格納する（Ｓ３７）。これにより、携帯端末３２により映像用留守番電話サーバ２１から映像メッセージがダウンロードされる。
【００７６】
Ｗｅｂクライアント部３０３は、専用アプリを実行することによる動作として、映像メッセージの記憶部３０４への格納完了後に、映像メッセージのダウンロードが完了したことを通知する通知情報をＨＴＴＰプロトコルにより留守番電話映像管理システム２０の映像用留守番電話サーバ２１に送信する（Ｓ３８）。映像用留守番電話サーバ２１のＷｅｂサービス提供部２１１は、携帯端末３２からの通知情報の受信に応じて、携帯端末３２に送信した映像メッセージを記憶部２１４から削除する（Ｓ３９）。なお、続く、Ｓ４０、Ｓ４１の処理については、上述のＳ３２、Ｓ３３の処理と同様であるため、説明を省略する。
【００７７】
一方、携帯端末３２のＷｅｂクライアント部３０３は、専用アプリを実行することによる動作として、ユーザから携帯端末３２の入力装置に対する、映像メッセージを映像用留守番電話サーバ２１に保存することを選択する入力に応じて（Ｓ４２）、再生された映像メッセージの保存を要求する要求情報をＨＴＴＰプロトコルにより留守番電話映像管理システム２０の映像用留守番電話サーバ２１に送信する（Ｓ４３）。
【００７８】
映像用留守番電話サーバ２１のＷｅｂサービス提供部２１１は、携帯端末３２からの通知情報の受信に応じて、再生した映像メッセージの記憶部２１４への格納を継続する。
【００７９】
なお、本発明は上記実施の形態に限られたものではなく、趣旨を逸脱しない範囲で適宜変更することが可能である。
【００８０】
以上に説明したように、本実施の形態では、留守番電話映像管理システム２００は、携帯端末３１からの発呼に対して携帯端末３２が応答できないことが通信制御システム１００で検出された場合に、映像メッセージ記録用のＵＲＬが記載されたショートメッセージの携帯端末３１への送信を通信制御システム１０に要求するようにしている。また、留守番電話映像管理システム２００は、ショートメッセージに記載された映像メッセージ記録用のＵＲＬによる携帯端末３１からのアクセスにおいて送信された映像メッセージを受信して記憶部２１４に記憶するようにしている。また、留守番電話映像管理システム２００は、映像メッセージの記憶後に、映像メッセージ再生用のＵＲＬが記載されたショートメッセージの携帯端末３２への送信を通信制御システム１０に要求するようにしている。そして、留守番電話映像管理システム２００は、ショートメッセージに記載された映像メッセージ再生用のＵＲＬによる携帯端末３２からのアクセスにおける映像メッセージの要求に応じて、記憶部２１４に記憶された映像メッセージを携帯端末３２に送信するようにしている。
【００８１】
すなわち、本実施の形態では、留守番電話映像管理システム２０から通信制御システム１０に対して、留守番電話映像管理システム２０のＵＲＬが記載されたショートメッセージの制御をすることで、映像による留守番電話サービスを実現している。これによれば、一般的な携帯端末３１、３２間の通信を制御する機能（通話、ショートメッセージ、音声による留守番電話等）を含むシステムである通信制御システム１０を軽微な変更のみとし、映像メッセージを記録・再生する留守番電話映像管理システム２０を付加的に追加するのみで映像メッセージによる留守番電話サービスを実現可能である。よって、留守番電話システム１を簡易に構築することができ、コストを低減することができる。また、留守番電話映像管理システム２０自体も、ＨＴＴＰプロトコルによる通信を流用しているため、その点でも簡易に留守番電話システム１を簡易に構築することができ、コストを低減することができる。
【００８２】
また、本実施の形態では、好ましくは、携帯端末３１、３２は、スマートフォンとするとよい。そのようにすることで、テレビ電話機能が具備されていないスマートフォンであっても、スマートフォンの高性能な機能を活かした映像メッセージによる留守番電話サービスを提供することができる。すなわち、フューチャーフォンによる映像による留守番電話サービスでの弱点である低画質という問題を解決し、高画質な映像メッセージを残すことができる。また、Ｗｅｂサービスにおける機能を利用して映像メッセージを記録・再生するようにしているため、異なるキャリア間でも、映像メッセージによる留守番電話サービスを提供することができる。
【００８３】
ここで、上述の実施の形態から抽出される本発明の一実施の形態について、図７を参照して説明する。図７は、上述の実施の形態から抽出される本発明の一実施の形態に係る留守番電話システム２を示す図である。
【００８４】
留守番電話システム２は、第１の携帯端末７１と、第２の携帯端末７２と、第１の携帯端末７１と第２の携帯端末７２との間の通話を制御する第１のシステム８０と、第１の携帯端末７１と第２の携帯端末７２との間において映像メッセージによる留守番電話サービスを提供する第２のシステム９０とを備える。第１の携帯端末７１及び第２の携帯端末７２は、携帯端末３１、３２に対応する。
【００８５】
第１のシステム８０は、ＳＭＳ提供部８１を有する。第１のシステム８０は、通信制御システム１０に対応する。ＳＭＳ提供部８１は、ＳＭＳ（Short Message Service）を提供する。ＳＭＳ提供部８１は、ＳＭＳ提供部１３１に対応する。
【００８６】
第２のシステム９０は、映像メッセージ記憶部９１と、ショートメッセージ制御部９２と、Ｗｅｂサービス提供部９３とを有する。第２のシステム９０は、留守番電話映像管理システム２０に対応する。
【００８７】
映像メッセージ記憶部９１は、映像メッセージを記憶する。映像メッセージ記憶部９１は、記憶部２１４に対応する。ショートメッセージ制御部９２は、ショートメッセージの送信を第１のシステム８０のＳＭＳ提供部８１に要求する。ショートメッセージ制御部９２は、ショートメッセージ制御部２１２に対応する。Ｗｅｂサービス提供部９３は、第１の携帯端末７１及び第２の携帯端末７２からの第２のシステム９０のＵＲＬへのアクセスに応じてＷｅｂサービスを提供する。Ｗｅｂサービス提供部９３は、Ｗｅｂサービス提供部２１１に対応する。
【００８８】
続いて、留守番電話システム２の処理について説明する。第２のシステム９０のショートメッセージ制御部９２は、第１のシステム８０において第１の携帯端末７１からの発呼に対して第２の携帯端末７２が応答できないことが検出された場合、第２のシステム９０の第１のＵＲＬが記載されたショートメッセージの第１の携帯端末７１への送信をＳＭＳ提供部８１に要求する。
【００８９】
第１の携帯端末７１は、第１のシステム８０のＳＭＳ提供部８１からのショートメッセージに記載された第１のＵＲＬによる第２のシステム９０へのアクセスにおいて、第１の携帯端末７１で生成した映像メッセージを第２のシステム９０に送信する。
【００９０】
第２のシステム９０のＷｅｂサービス提供部９３は、第１の携帯端末７１から送信された映像メッセージを受信して映像メッセージ記憶部９１に記憶する。
【００９１】
第２のシステム９０のショートメッセージ制御部９２は、第２のシステム９０の第２のＵＲＬが記載されたショートメッセージの第２の携帯端末７２への送信をＳＭＳ提供部８１に要求する。
【００９２】
第２の携帯端末７２は、第１のシステム８０のＳＭＳ提供部８１からのショートメッセージに記載された第２のＵＲＬによる第２のシステム９０へのアクセスにおいて、映像メッセージの送信を第２のシステム９０に要求する。
【００９３】
第２のシステム９０のＷｅｂサービス提供部９３は、第２の携帯端末７２からの要求に応じて、映像メッセージ記憶部９１に記憶された映像メッセージを第２の携帯端末７２に送信する。
【００９４】
第２の携帯端末７２は、第２のシステム９０から送信された映像メッセージを受信し、再生する。
【００９５】
本実施の一態様によれば、一般的な携帯端末７１、７２間の通信を制御する機能（通信、ショートメッセージ等）を含むシステムである第１のシステム８０を軽微な変更のみとし、映像メッセージを記録・再生する第２のシステム９０を付加的に追加するのみで映像メッセージによる留守番電話サービスを実現可能である。よって、留守番電話システム２を簡易に構築することができ、コストを低減することができる。また、第２のシステム９０自体も、ＵＲＬによる（ＨＴＴＰプロトコルによる）通信を流用しているため、その点でも簡易に留守番電話システム１を簡易に構築することができ、コストを低減することができる。
【００９６】
なお、上述のコンピュータ（携帯端末３１、３２、呼制御装置１１、音声用留守番電話サーバ１２、ＳＭＳサーバ１３、映像用留守番電話サーバ２１）が実行するプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００９７】
１、２  留守番電話システム
１０  通信制御システム
２０  留守番電話映像管理システム
１１  呼制御装置
１２  音声用留守番電話サーバ
１３  ＳＭＳサーバ
２１  映像用留守番電話サーバ
３１、３２  携帯端末
７１  第１の携帯端末
７２  第２の携帯端末
８０  第１のシステム
９０  第２のシステム
１１１  呼制御部
１２１  音声メッセージ制御部
１２２  記憶部
８１、１３１  ＳＭＳ提供部
２１１  Ｗｅｂサービス提供部
２１２  ショートメッセージ制御部
２１３  帯域し制御部
２１４  記憶部
３０１  通話制御部
３０２  Ｗｅｂクライアント部
３０３  ショートメッセージ制御部
３０４  記憶部
【図１】
2015226079.tif 000003
【図２】
2015226079.tif 000004
【図３】
2015226079.tif 000005
【図４】
2015226079.tif 000006
【図５】
2015226079.tif 000007
【図６】
2015226079.tif 000008
【図７】
2015226079.tif 000009